(57)【要約】【課題】  加湿した高温風の送出を環境に優しく高効率で容易に行う高効率加湿暖房機を提供すること。【解決手段】  本発明の高効率加湿暖房機１０は、内装する超音波発生器３３が貯留する水の内部に設けられ発生する霧により加湿空気を生成し送出する超音波加湿器３０と、超音波加湿器３０より送出の加湿空気を加熱し送出する加熱ダクト１１と、電動ファン１６により送入側より空気が送風され、加熱ダクト１１より送出する加熱した加湿空気を混合して送出する送風ダクト１３とを備えることとした【選択図】図１
2016061558.tif 000002
【特許請求の範囲】
【請求項１】
加湿空気を送出する加湿器と、前記加湿器より送出の前記加湿空気を加熱し送出する加熱ダクトと、電動ファンにより送入側より空気が送風され、前記加熱ダクトより送出する加熱した加湿空気を混合して送出する送風ダクトとを備えることとしたことを特徴とする高効率加湿暖房機。
【請求項２】
前記加湿器は、超音波発生器が貯留する水の内部に設けられ発生する霧を送入する空気に混合し加湿空気を生成し送出する超音波加湿器とすることを特徴とする請求項１に記載の高効率加湿暖房機。
【請求項３】
前記加湿器は、貯留する水を加熱し発生する蒸気を送入する空気に混合し、生成した加湿空気を送出する噴霧器とすることを特徴とする請求項１に記載の高効率加湿暖房機。
【請求項４】
前記送風ダクトは、前記送入側より送風する前記空気を加熱することとしたことを特徴とする請求項１に記載の高効率加湿暖房機。
【請求項５】
前記送風ダクトは、前記送入側より送風する前記空気を増速する変速混合器を設け、前記加熱ダクトより送出する加熱した加湿空気を前記変速混合器の送出側で吸引混合することとしたことを特徴とする請求項１または請求項２に記載の高効率加湿暖房機。
【請求項６】
前記変速混合器は、円錐形状の絞り弁を形成し、前記送風ダクトに送入の前記空気を前記円錐形状の前記絞り弁の底面側より送入することとしたことを特徴とする請求項５に記載の高効率加湿暖房機。
【発明の詳細な説明】
【技術分野】
【０００１】  本発明は、加湿した高温風の送出を環境に優しく高効率で容易に行う高効率加湿暖房機に関する。
【背景技術】
【０００２】  従来の暖房機には、外部から吸入した空気を電熱ヒータで加熱しファンで外部に送出する電熱ヒータ式の暖房機がある（例えば、特許文献１参照）。
【先行技術文献】
【特許文献】
【０００３】
【特許文献１】  特開２００１−２６３８２３号公報
【発明の概要】
【発明が解決しようとする課題】
【０００４】  しかしながら、従来の電熱ヒータ式の暖房機は、二酸化炭素を発生することがなく環境に優しくすることはできるが、外部から吸入した空気を電熱ヒータで加熱するため熱容量は小で暖房効率も低いという問題があった。また、熱容量を増大するためには電熱ヒータを大型化または複数設ける必要があり複雑構造となるという問題もあった。
さらに、暖房とともに加湿を行なうためには加湿機を別途使用しなければならないという問題もあった。
本発明は、上記に鑑みてなされたものであって、加湿した高温風の送出を環境に優しく高効率で容易に行う高効率加湿暖房機を提供することを目的とする。
【課題を解決するための手段】
【０００５】  本発明の高効率加湿暖房機は、加湿空気を送出する加湿器と、前記加湿器より送出の前記加湿空気を加熱し送出する加熱ダクトと、電動ファンにより送入側より空気が送風され、前記加熱ダクトより送出する加熱した加湿空気を混合して送出する送風ダクトとを備えることとした。
また、前記加湿器は、超音波発生器が貯留する水の内部に設けられ発生する霧を送入する空気に混合し加湿空気を生成し送出する超音波加湿器とすることとした。
また、前記加湿器は、貯留する水を加熱し発生する蒸気を送入する空気に混合し、生成した加湿空気を送出する噴霧器とすることとした。
また、前記送風ダクトは、前記送入側より送風する前記空気を加熱することとした。
また、前記送風ダクトは、前記送入側より送風する前記空気を増速する変速混合器を設け、前記加熱ダクトより送出する加熱した加湿空気を前記変速混合器の送出側で吸引混合することとした。
さらに、前記変速混合器は、円錐形状の絞り弁を形成し、前記送風ダクトに送入の前記空気を前記円錐形状の前記絞り弁の底面側より送入することとした。
【発明の効果】
【０００６】  本発明の高効率加湿暖房機は、加湿空気を送出する加湿器と、前記加湿器より送出の前記加湿空気を加熱し送出する加熱ダクトと、電動ファンにより送入側より空気が送風され、前記加熱ダクトより送出する加熱した加湿空気を混合して送出する送風ダクトとを備えることとしたため、加湿した高温風の送出を高効率で容易に行うことができる。
また、前記加湿器は、超音波発生器が貯留する水の内部に設けられ発生する霧を送入する空気に混合し加湿空気を生成し送出する超音波加湿器とすることとしたため、的確容易に加湿空気を送出することができる。
また、前記加湿器は、貯留する水を加熱し発生する蒸気を送入する空気に混合し、生成した加湿空気を送出する噴霧器とすることとしたため、簡潔容易に加湿空気を送出することができる。
また、前記送風ダクトは、前記送入側より送風する前記空気を加熱することとしたため、加湿した高温風の送出をより確実容易に行うことができる。
また、前記送風ダクトは、前記送入側より送風する前記空気を増速する変速混合器を設け、前記加熱ダクトより送出する加熱した加湿空気を前記変速混合器の送出側で吸引混合することとしたため、送風する空気を増速し加熱した加湿空気を確実効果的に混合することができる。
さらに、前記変速混合器は、円錐形状の絞り弁を形成し、前記送風ダクトに送入の前記空気を前記円錐形状の前記絞り弁の底面側より送入することとしたため、送風する空気を増速し加熱した加湿空気をより確実効果的に混合することができる。
【図面の簡単な説明】
【０００７】
【図１】  本発明の第１の実施形態の高効率加湿暖房機の正面図を示す。
【図２】  本発明の第１の実施形態の高効率加湿暖房機に設けられる超音波加湿器の縦断面図を示す。
【図３】  本発明の第２の実施形態の高効率加湿暖房機の正面図を示す。
【発明を実施するための形態】
【０００８】  以下、本発明の第１の実施の形態の高効率加湿暖房機につき説明する。
【実施例１】
【０００９】  図１は、本発明の第１の実施形態の高効率加湿暖房機の正面図を示す。
図１に示すように、本発明の第１の実施形態の高効率加湿暖房機１０は、超音波発生器により発生する霧により加湿空気を生成し送出する超音波加湿器３０と、加湿器である超音波加湿器３０より送出の加湿空気を加熱し送出する加熱ダクト１１と、加熱ダクト１１より送出する加熱した加湿空気を送付された空気に混合して送出する送風ダクト１３とで構成されている。図１では、加熱ダクト１１と送風ダクト１３とは断面図を示す。【００１０】  超音波加湿器３０は、純水器２０により純化した純水が貯留され、貯留する純水の中に設けられ内装した超音波発生器により発生する霧を電動ファン３１より送付の空気に混合して生成した加湿空気を送出する。そのため、簡潔容易に加湿空気を送出することができる。
純水器２０は、送入管２３よりの水道水が矢印Ｆに示すように送入され純化を行なう。純水器２０により純化された純水は、純水タンク２１に貯留され、超音波加湿器３０に送出する。超音波加湿器３０は、純水タンク２１より送出の純水を貯留し、水位センサ３２が予め定めた水位以下になったことを検知したとき制御弁２２が開き、送入管２３よりの水道水が純水器２０に送入される。純水器２０により純化された純水は純水タンク２１に貯留される。純水タンク２１では、超音波加湿器３０に貯留の純水が予め定めた水位になるまで送出が行われ、超音波加湿器３０の水位が一定の高さに制御される。【００１１】  加熱ダクト１１は、コイル形の加熱器１２がダクト内に設けられており、超音波発生器３０より送出する加湿空気を加熱器１２により加熱し、小径の送出管１１ａより加熱した加湿空気を送風ダクト１３に送出する。
送風ダクト１３は、送風の送入側には電動ファン１６が設けられ、送出側には送出ダクト１５が設けられ、ダクト内にはコイル形の加熱器１４ａ、１４ｂが設けられている。コイル形の加熱器１４ａは、電動ファン１６が設けられた送風の送入側に設けられ、コイル形の加熱器１４ｂは、送出ダクト１５が設けられた送出側に設けられている。
電動ファン１６により送風ダクト１３に送付される空気は、コイル形の加熱器１４ａ、１４ｂにより加熱される。
コイル形の加熱器１４ａにより加熱され送風ダクト１３の中を矢印Ｐに示すように送付する空気は、加熱ダクト１１の小径の送出管１１ａより矢印Ｋに示すように送出する加熱した加湿空気と混合し、さらに送風ダクト１３を送付され、コイル形の加熱器１４ｂによりさらに加熱されて送出ダクト１５より加湿した高温風として送出する。【００１２】  次に、本発明の第１の実施形態の高効率加湿暖房機の動作につき説明する。
超音波加湿器３０は、純水器２０により純化した純水を貯留し、内装した超音波発生器により発生した霧により加湿空気を生成し加熱ダクト１１に送出する。超音波加湿器３０に貯留した純水は水位センサ３２により水位を一定の高さに制御される。
加熱ダクト１１は、超音波発生器３０より送出する加湿空気を加熱し送風ダクト１３に送出する。
送風ダクト１３は、送風ダクト１３に送付され加熱器１４ａにより加熱された空気に加熱ダクト１１より送出する加熱した加湿空気と混合し、加熱器１４ｂにより加熱され送出ダクト１５より加湿した高温風として送出する。
以上述べたように、本発明の第１の実施形態の高効率加湿暖房機は、水道水より霧を的確に発生させ加湿空気を生成し、加湿した高温風の送出を高効率で容易に行うことができる。また、純水器２０により純化した純水を使用するため、錆の発生や不純物の付着を防止することができる。【００１３】  図２は、本発明の第１の実施形態の高効率加湿暖房機に設けられる超音波加湿器の縦断面図を示す。
図２に示すように、超音波加湿器３０は、内部の底面側に複数の超音波発生器３３が設けられ、上側では連通管３１ａにより電動ファン３１と連通し、側面には送水管２１ａにより図１に示す純水タンク２１と接続している。超音波加湿器３０には純水タンク２１より送出の純水Ｗが貯留され、内部の底面側に設けられた複数の超音波発生器３３を覆っている。
超音波発生器３３により貯留した純水Ｗより発生する霧は電動ファン３１よりの空気に混合し加熱ダクト１１に送出する。
超音波加湿器３０は、純水タンク２１より送出の純水Ｗを貯留するが、霧の発生により予め定めた水位以下になったとき水位センサ３２が作動し純水タンク２１よりの送水が制御され、貯留する純水Ｗの水位が一定に保たれる。【００１４】  そのため、超音波加湿器３０は、貯留した純水Ｗより超音波発生器３３と電動ファン３１とにより効果的に加湿空気を送出することができる。また、水位センサ３２により貯留する純水Ｗを一定に保ち、連続的に常に的確に加湿空気を送出することもできる。
【実施例２】
【００１５】  図３は、本発明の第２の実施形態の高効率加湿暖房機の正面図を示す。
図３に示すように、本発明の第２の実施形態の高効率加湿暖房機５０は、超音波発生器により発生する霧により加湿空気を生成し送出する超音波加湿器３０と、超音波加湿器３０より送出の加湿空気を加熱し送出する加熱ダクト５１と、加熱ダクト５１より送出する加熱した加湿空気を送付された空気に混合して送出する送風ダクト５３とで構成されている。図３では、加熱ダクト５１と送風ダクト５３とは断面図を示す。【００１６】  超音波加湿器３０は、純水器２０により純化した純水が貯留され、貯留する純水の中に設けられ内装した超音波発生器により発生する霧を電動ファン３１より送付の空気に混合し加湿空気を生成し送出する。そのため、簡潔容易に加湿空気を送出することができる。
純水器２０は、送入管２３よりの水道水が矢印Ｆに示すように送入され純化を行なう。純水器２０により純化された純水は、純水タンク２１に貯留され、超音波加湿器３０に送出する。超音波加湿器３０は、純水タンク２１より送出の純水を貯留し、水位センサ３２が予め定めた水位以下になったことを検知したとき制御弁２２が開き、送入管２３よりの水道水が純水器２０に送入される。純水器２０により純化された純水は純水タンク２１に貯留される。純水タンク２１では、超音波加湿器３０に貯留の純水が予め定めた水位になるまで送出が行われ、水位が一定の高さに制御される。【００１７】  加熱ダクト５１は、コイル形の加熱器５２がダクト内に設けられており、超音波発生器３０より送出する加湿空気を加熱器５２により加熱し、前方に向け斜め方向に設置された小径の細い送出管５１ａより加熱した加湿空気を送風ダクト５３に送出する。
送風ダクト５３は、送風の送入側には電動ファン５６が設けられ、送出側には送出ダクト５５が設けられ、ダクト内にはコイル形の加熱器５４ａ、５４ｂが設けられている。コイル形の加熱器５４ａは、電動ファン５６が設けられた送風の送入側に設けられ、コイル形の加熱器５４ｂは、送出ダクト５５が設けられた送出側に設けられている。
電動ファン５６により送風ダクト５３に送付される空気は、コイル形の加熱器５４ａ、５４ｂにより加熱される。
コイル形の加熱器５４ａにより加熱され送風ダクト５３の中を矢印Ｐに示すように送付する空気は、加熱ダクト５１の小径の細い送出管５１ａより矢印Ｋに示すように送出する加熱した加湿空気を変速混合器５７により吸引混合し、さらに送風ダクト５３を送付され、コイル形の加熱器５４ｂによりさらに加熱されて送出ダクト５５より加湿した高温風として送出する。
変速混合器５７は、円錐形状の絞り弁５８を形成し、送風ダクトに送入の空気を円錐形状の絞り弁５８の底面側より送入し、円錐形状の小径となった前方の送出側より風速が変わり増速して噴射状となり送出する。送風ダクト５３は、円錐形状の絞り弁５８の前方の送出側で小径の送風ダクト５３ａが形成されている。
送風ダクト５３に設けられる変速混合器５７は、絞り弁５８の前方の送出側より送風する空気を増速し噴射状となり送出するため、斜め方向に設置された加熱ダクト５１の送出管５１ａより送出する加熱した加湿空気を変速混合器５７の送出側で吸引して確実効果的に混合する。【００１８】  次に、本発明の第２の実施形態の高効率加湿暖房機の動作につき説明する。
超音波加湿器３０は、純水器２０により純化した純水を貯留し、内装した超音波発生器により発生した霧により加湿空気を生成し加熱ダクト５１に送出する。超音波加湿器３０に貯留した純水は水位センサ３２により水位を一定の高さに制御される。
加熱ダクト５１は、超音波発生器３０より送出する加湿空気を加熱し送風ダクト５３に送出する。【００１９】  超音波加湿器３０は、本発明の第１の実施形態の高効率加湿暖房機に使用したものと同一であり、効果的に加湿空気を送出することができ、また、貯留する純水が一定に保たれ、連続的に常に的確に加湿空気を送出することもできる。
送風ダクト５３は、送風ダクト５３に送付され加熱器５４ａにより加熱された空気に加熱ダクト５１より送出する加熱した加湿空気と変速混合器５７で混合し、加熱器５４ｂによりさらに加熱され送出ダクト５５より加湿した高温風として送出する。【００２０】  以上述べたように、本発明の第２の実施形態の高効率加湿暖房機５０は、変速混合器５７により、送風ダクト５３を送風する空気を増速し加熱ダクト５１よりの加熱した加湿空気を確実効果的に吸引混合することができ、水道水より霧を発生させ的確に加湿空気を生成し、加湿した高温風の送出をより高効率で容易に行うことができる。また、純水器２０により純化した純水を使用するため、錆の発生や不純物の付着を防止することができる。【００２１】  なお、高効率加湿暖房機５０は、送風ダクト５３を送風する空気を増速し加熱ダクト５１よりの加熱した加湿空気を吸引混合することができるため、超音波加湿器３０は電動ファン３１を使用せずに外部より空気を吸引送入し、送入した空気に発生する霧を混合し加湿空気を生成送出するようにすることもできる。
また、高効率加湿暖房機１０、５０は、加湿空気の生成に超音波加湿器３０を使用することとしたが、使用環境状況により、加湿空気の発生に噴霧器を使用し、貯留する水を加熱し発生する蒸気を送入する空気に混合し、生成した加湿空気を送出するようにすることもできる。この場合にも貯留する水は、超音波加湿器３０と同様にすることができる。
また、超音波加湿器３０は、水道水を純化した純水を貯留することとしたが、貯留タンクに純水または水道水を貯留し、貯留タンクの純水よりの送出を制御し水位を一定に保ち貯留タンクよりの水を使用するようにすることもできる。
また、送風ダクト１３は、コイル形の加熱器１４ａを送入側に設け、コイル形の加熱器１４ｂを送出側に設けることとしたが、いずれかの設置とすることもできる。また、送風ダクト５３は、コイル形の加熱器５４ａを送入側に設け、コイル形の加熱器５４ｂを送出側に設けることとしたが、いずれかの設置とすることもできる。
また、加熱器は、コイル形としたがこれに限定することなく、直線形状の加熱器なども使用することができる。
さらに、送風ダクト１３はＬ字形としたが、直線形状にすることもできる。
【産業上の利用可能性】
【００２２】  本発明の高効率加湿暖房機は、家庭用や工場用などに使用することができるが、ビニールハウスなどにも幅広く適用することができる。
【符号の説明】
【００２３】１０、５０  高効率加湿暖房機
１１、５１  加熱ダクト
１３、５３  送風ダクト
２０  純水器
２１  純水タンク
２２  制御弁
３０  超音波加湿器
３２  水位センサ
３３  超音波発生器
【図１】
2016061558.tif 000003
【図２】
2016061558.tif 000004
【図３】
2016061558.tif 000005